(57)【特許請求の範囲】
【請求項１】
一方的に電波を発信する無線部を備え、係員が携帯する無線発信機と、この無線発信機から発信される電波を受信していないことを条件として警戒状態となる本体部と、この本体部に接続された反射型光センサとからなり、
上記反射型光センサは、本体部が警戒状態において赤外線を発光させる発光回路と、この発光回路により発光された赤外線が反射するときこれを受光する受光回路とを備え、
本体部は、上記反射型光センサの発光回路に対してトリガーパルスを送出する発光制御回路と、上記反射型光センサの受光回路が受光するときその信号を受ける受光制御回路と、上記受光回路からの信号により警報情報を出力する警報制御手段と、上記受光回路からの信号により電源切断情報を出力する電源制御手段とを備え、
上記反射型光センサはキャッシュレジスタのテンキー側に向けて配置してなることを特徴とするキャッシュレジスタにおける盗難防止システム。
【請求項２】
一方的に電波を発信する無線部を備え、係員が携帯する無線発信機と、この無線発信機から発信される電波を受信していないことを条件として警戒状態となる本体部と、この本体部に接続された反射型光センサと、上記本体部に接続されたドロアセンサとからなり、
上記反射型光センサは、本体部が警戒状態において赤外線を発光させる発光回路と、この発光回路により発光された赤外線が反射するときこれを受光する受光回路とを備え、
上記ドロアセンサは、キャッシュレジスタのドロア表面およびこれに近接するキャッシュレジスタの本体表面に設けられる一対の磁気センサで構成され、
本体部は、上記反射型光センサの発光回路に対してトリガーパルスを送出する発光制御回路と、上記反射型光センサの受光回路が受光するときその信号を受ける受光制御回路と、上記受光回路または磁気センサからの信号により警報情報を出力する警報制御手段と、上記受光回路または磁気センサからの信号により電源切断情報を出力する電源制御手段とを備え、
上記反射型光センサはキャッシュレジスタのテンキー側に向けて配置してなることを特徴とするキャッシュレジスタにおける盗難防止システム。
【発明の詳細な説明】
【０００１】
【発明の属する技術分野】
本発明は、キャッシュレジスタにおける盗難事故を防止することのできるシステムに関するものである。
【０００２】
【従来の技術】
従来のキャッシュレジスタは、商品の販売を登録する機能と金銭を保管する機能が備えられており、金銭はドロアを開放して出し入れされ、このドロアを施錠できるようになっていた。そのため、施錠されたドロアをこじ開けて保管されている金銭を盗取されること、又は、キャッシュレジスタの全体を運び出すことのよって窃取されることがあり、このような方法によるキャッシュレジスタの盗難事故を防止するためには、キャッシュレジスタが持ち上げられたり、又は、ドロアがこじ開けられたりすると作動する警報装置が、レジスタに一体的に設けられているものがあった。
【０００３】
【発明が解決しようとする課題】
しかしながら、上記のような従来の装置では、深夜などのように店内に誰もいないときに行なわれる盗難に対しては、有効に機能するものであるところ、最近の盗難では、係員がちょっとレジスタから離れたすきにドロアを開いて、ドロア内の現金を盗取する方法によることが多く、特に、商品の値札がとれてしまって販売価格がわからず、これを確認する際の僅かな時間に盗まれることが非常に多かった。
【０００４】
本発明は、上記諸点にかんがみ、係員がキャッシュレジスタから離れれば警戒状態となり、その間に異常が発生したとき、このキャッシュレジスタの電源を切断して操作不可能にするとともに、警報装置を作動させることのできる盗難防止システムを提供することを目的とする。
【０００５】
【課題を解決するための手段】
かかる目的を達成するために、本発明は、一方的に電波を発信する無線部を備え、係員が携帯する無線発信機と、この無線発信機から発信される電波を受信していないことを条件として警戒状態となる本体部と、この本体部に接続された反射型光センサとからなり、上記反射型光センサは、本体部が警戒状態において赤外線を発光させる発光回路と、この発光回路により発光された赤外線が反射するときこれを受光する受光回路とを備え、本体部は、上記反射型光センサの発光回路に対してトリガーパルスを送出する発光制御回路と、上記反射型光センサの受光回路が受光するときその信号を受ける受光制御回路と、上記受光回路からの信号により警報情報を出力する警報制御手段と、上記受光回路からの信号により電源切断情報を出力する電源制御手段とを備え、上記反射型光センサはキャッシュレジスタのテンキー側に向けて配置してなることを特徴とするキャッシュレジスタにおける盗難防止システムを要旨とする。
【０００６】
また、本発明は、一方的に電波を発信する無線部を備え、係員が携帯する無線発信機と、この無線発信機から発信される電波を受信していないことを条件として警戒状態となる本体部と、この本体部に接続された反射型光センサと、上記本体部に接続されたドロアセンサとからなり、上記反射型光センサは、本体部が警戒状態において赤外線を発光させる発光回路と、この発光回路により発光された赤外線が反射するときこれを受光する受光回路とを備え、上記ドロアセンサは、キャッシュレジスタのドロア表面およびこれに近接するキャッシュレジスタの本体表面に設けられる一対の磁気センサで構成され、本体部は、上記反射型光センサの発光回路に対してトリガーパルスを送出する発光制御回路と、上記反射型光センサの受光回路が受光するときその信号を受ける受光制御回路と、上記受光回路または磁気センサからの信号により警報情報を出力する警報制御手段と、上記受光回路または磁気センサからの信号により電源切断情報を出力する電源制御手段とを備え、上記反射型光センサはキャッシュレジスタのテンキー側に向けて配置してなることを特徴とするキャッシュレジスタにおける盗難防止システムを要旨とする。
【０００７】
【発明の実施の形態】
以下、本発明の実施の形態を図面に基づいて説明する。本実施形態は、図１に示すように、無線発信機１と本体部２とから構成されている。本体部２には、キャッシュレジスタ３のうちテンキー４のある側に向けて反射型光センサ５が配置されており、この反射型光センサ５は本体部２に接続されている。また、キャッシュレジスタ３のドロア６の表面と、これに近接するキャッシュレジスタ３の本体表面とには、一対の磁気センサ７，８が設けられており、この磁気センサ７，８も本体部２に接続されている。また、本体部２には、通常の電源の供給を得ることができる電源コード９が設けられているとともに、キャッシュレジスタ３の電源コード１０を接続できるようになっている。
【０００８】
そこで、図２のブロック図において示すように、無線発信機１には送信回路１１が設けられており、一方的に電波を送信できるようになっている。本体部２には、受信回路２１が内蔵されていて上記無線発信機１から送信される電波を受信できるようになっており、この受信回路２０には警戒／解除制御回路２１が接続されており、無線発信機１からの電波を受信できるか否かによって、警戒信号又は警戒解除信号を出力する。そして、解除信号受信ランプ２３と警戒ランプ２４が接続されており、警戒／解除制御回路２１からの信号が、警戒信号であるとき、警戒ランプ２４は点灯し解除信号受信ランプ２３は点灯せず、警戒解除信号であるとき、警戒ランプ２４は点滅し解除信号受信ランプ２３は点灯するようになっている。さらに、この本体部２には、情報制御手段としてのブザー音色形成回路２５と、電源制御手段としてのレジスタ電源制御回路２６が設けられており、侵入者制御手段として機能する反射型光センサ５が、異常状態を検知するとき、ブザー２７を鳴らし、レジスタ電源２８を切断できるように作動するようになっている。このブザー音色形成回路２５とレジスタ電源制御回路２６は、受光制御回路２９に接続されており、反射型光センサ５からの信号が受光制御回路２９を経由して両方に伝えられる。反射型光センサ５は、本体部２に設けられる発光制御回路２２からの信号によって赤外線の発光を開始する。即ち、発光制御回路２２は警戒／解除制御回路２１からの警戒信号によってトリガーパルスを送出するようになっている。そして、反射型光センサ５には、赤外線を発光させるための発光回路５１ａが設けられ、この発光回路５１ａから所定間隔で間欠的に赤外線が発射される。この発光回路５１ａには同様の二個の発光回路５１ｂ，５１ｃが用意され、異なるタイミングで発光するようになっている。また、上記の発光回路５１ａに対応して受光回路５２ａが設けられており、これも同様の二個の受光回路５２ｂ，５２ｃが用意されている。そして、発光回路５１ａから発せられた赤外線が、近接する何らかに反射するとき、この受光回路５２ａが赤外線を受光できるようになっている。この受光回路５２ａの信号は、上記の本体部２の受光制御回路２９に送られるようになっている。
【０００９】
一方、磁気センサ７，８は、上記のとおりキャッシュレジスタ３のドロア６に設けられ、ドロアセンサ７１として作動する。このドロアセンサ７１は、上記反射型光センサ５と同様に本体部２のブザー音色形成回路２５とレジスタ電源制御回路２６に接続されており、ドロアセンサ７１の異常信号によって、ブザー２７を鳴らすとともに、レジスタ電源２８を切断するようになっている。また、このドロアセンサ７１にも、本体部２の警戒／解除制御回路２１が接続されていて、本体部２の受信回路２０が無線発信機１の電波を受信しているときは作動しないようになっている。
【００１０】
以上のように、反射型光センサ５又はドロアセンサ７１が異常状態を検知したとき、警報ブザー２７を鳴らすことは当然のこと、レジスタ電源２８を切断することによって、キャッシュレジスタ３のテンキー４を操作することができなくなる。即ち、ドロア６を開放させるには、無理矢理こじ開けるほかはなく、係員が警報音の聞こえる程度の場所（例えば、店内のどこか）にいるとき、警報ブザー２７を聞いてキャッシュレジスタ３まで戻れば、侵入者はドロア６開放する間がなく、一時保管している現金の盗難を回避することができる。
【００１１】
図３ないし図７のフローチャートを用いつつ、本実施形態のシステムの作動態様を説明する。まず、侵入者検知手段である反射型光センサ５によって侵入者を検知し、警報制御手段である警報ブザー音色形成回路２５と電源制御手段であるレジスタ電源制御回路２６によって、警報ブザー２７の始動及びレジスタ電源２８の切断について図３を用いて説明する。本体部２に電源を入れて作動を開始すると、警戒ランプ２３が点滅する（Ｓ１）。そして、無線発信機１の送信回路１１から一方的に電波が送信され、本体部２の受信回路２０において、この電波を受信したかどうかを警戒／解除制御回路２１が判定し、受信しないときは、係員がいないと判断される（Ｓ２）。ここで、係員がいると判断されるときには、解除信号受信ランプ２４を点灯させ（Ｓ３）、再び開始位置に戻りループを繰り返す。そして、ステップ２（Ｓ２）において、係員がいないと判断された場合は、本体部２の解除信号受信ランプ２３を点灯させることなく、警戒解除ランプ２４を点滅から点灯に切替えられ（Ｓ４）、侵入者を警戒する状態となる。ここで、この警戒の状態は、係員はキャッシュレジスタ３から離れた位置まで移動している状態であり、その間に、係員以外の人物（侵入者）がキャッシュレジスタ３に近寄らないかを警戒するのである。そこで、このような警戒の状態になると、発光制御回路２２において、反射型光センサ５の発光回路５１ａに対してトリガーパルスを送出する（Ｓ５）。このトリガーパルスによって発光回路５１ａから赤外線を発射し、これを受光回路５２ａによって受光する。このとき、受光回路５２ａが赤外線を受光しないときが正常であり、受光するときは近接位置に何らかの物体が存在することであるので異常となる。そこで、受光回路５２ａが赤外線を受光した場合には異常出力として判断する（Ｓ６）。なお、反射型光センサ５に何らかの異常が生じた場合も異常出力として判断される。ここで、異常出力の状態は、係員以外の人物（侵入者）に反射した赤外線を受光回路５２ａが受光したことであり、従って、係員以外の人物（侵入者）が赤外線を反射させる程度にキャッシュレジスタ３に近寄ったことを意味するのである。この状態で、警報制御手段と電源制御手段とが作動することとなる。即ち、異常出力の信号は警報ブザー音色形成回路２５とレジスタ電源制御回路２６とに伝えられ、警報ブザー２７を３秒間鳴らすとともに、レジスタ電源２８を切断する（Ｓ７）。ステップ６（Ｓ６）において異常出力でないときは、ステップ（Ｓ７）は省略される。そして、再度、無線送信機１からの電波の有無を確認し、係員がいるか（キャッシュレジスタ３の近くに戻ってきたか）どうかを判断する（Ｓ８）。そして、係員がいないと判断されるときは、警戒状態が継続しており、ステップ４（Ｓ４）まで戻り、この間のループを繰り返す。これによって、一度、反射型センサ５による異常出力と判断されたときは、無線発信機１からの電波を受信するまで、警報ブザー２７は鳴り、レジスタ電源２８は切断されている。また、このループを繰り返す途中で、無線発信機１からの電波を受信しなくても（係員が戻らなくても）受光回路５２ａにおける異常出力が除去されれば、警報ブザーは３秒間鳴った後に止まる（Ｓ７参照）。そして、ステップ８（Ｓ８）において、係員がいる（係員が戻った）と判断されるときは、再び、レジスタ電源２８を入れ、警報ブザー２７を止め（Ｓ９）、初期の状態に戻ってステップ１（Ｓ１）から最初の処理を開始する。ただし、警報ブザー２７は、最後にステップ７（Ｓ７）を通過したときから３秒間は鳴り続くことになる。
【００１２】
なお、警戒状態において異常があったとき、警報ブザー２７及びレジスタ電源２８を操作するほか、任意の警報手段（例えば、赤色灯の点灯など）を接続できる外部接点を設けておき、ステップ７（Ｓ７）において異常な状態を警報する際に、この外部接点をＯＮにすることにより、他の警報手段を作動することができる。そして、この警報手段もステップ９（Ｓ９）においてＯＦＦにすることができる。また、警報ブザー２７として出力するほかに、他の種類の出力も可能であり、その際の出力もステップ９（Ｓ９）でＯＦＦにする。
【００１３】
次に、ドロア開口検知手段であるドロアセンサ７１を併用する場合について図４を用いて説明する。ステップ１１（Ｓ１１）からステップ１９（Ｓ１９）までの処理は、前記ステップ１（Ｓ１）からステップ９（Ｓ９）と同様である。そこで、ドロアセンサ７１を併用する場合は、ステップ１４（Ｓ１４）において警戒ランプ２４が点灯するとき、即ち、警戒状態（係員のいない状態）となったとき、キャッシュレジスタ３とドロア６との間に設けた磁気センサ７，８の間隙が広くなり、ドロア６を開放したか否かを判断する（Ｓ２０）。そして、この警戒状態（係員のいない状態）において、ドロア６が開放すると判断したときは、警報ブザー２７を鳴らし、レジスタ電源２８を切る（Ｓ２１）。これによって反射型光センサ５が異常出力として判断したとき（Ｓ７，Ｓ１７）と同様の状態となる。ただし、一度ドロア６を開放して、異常状態となったときは、ドロア６を閉めたとしても、無線発信機１の電波を受信するまで（係員が戻るまで）異常な状態は継続する。即ち、警報ブザー２７は鳴った状態を維持し、レジスタ電源２８は切れた状態となっている。
【００１４】
次に、第２の発光回路５１ｂと第２の受光回路５２ｂとを併用した場合について図５を用いて説明する。この場合も、ステップ２１（Ｓ２１）からステップ２９（Ｓ２９）までの処理は、前記ステップ１（Ｓ１）からステップ９（Ｓ９）と同様である。そして、第１の発光回路５１ａが発光制御回路２２からのトリガーパルスの送出によって発光するのと同様に、第２の発光回路５１ｂも、発光制御回路２２からのトリガーパルスの送出によって発光する。そして、このトリガーパルスの送出は、前記ステップ５の場合と同様に、ステップ２４（Ｓ２４）において警戒ランプ２４が点灯するとき、即ち、警戒状態（係員のいない状態）となったときに行われる（Ｓ４２）。そして、発光された赤外線は第２の受光回路５２ｂによって受光され、正常か異常かが判断される（Ｓ４３）。従って、第１の受光回路５２ａ、又は、第２の受光回路５２ｂのいずれかにおいて、異常出力として判断されると（Ｓ３６，Ｓ４３）、警報ブザー２７を３秒間鳴らすとともに、レジスタ電源を切ることになる（Ｓ３７）。そして、両方の受光回路５２ａ，５２ｂがともに異常出力として判断しないときは、ステップ３７は省略される。
【００１５】
次に、第２の発光回路５１ｂと第２の受光回路５２ｂ、及び、ドロアセンサ７１を併用した場合について図６を用いて説明する。ステップ５１（Ｓ５１）からステップ６１（Ｓ６１）までは、前記のステップ１１（Ｓ１１）からステップ２１（Ｓ２１）までと全く同一であり、ステップ６２（Ｓ６２）からステップ６３（Ｓ６３）までは、前記のステップ４２（Ｓ４２）からステップ４３（Ｓ４３）までと同様である。従って、侵入者を第１及び第２の発光回路５１ａ，５１ｂと受光回路５２ａ，５２ｂによって検知できるとともに、ドロアの開放も検知できるようになっている。
【００１６】
次に、第２の発光回路５１ｂと第２の受光回路５２ｂ、及び、ドロアセンサ７１を併用し、かつ、来客用センサを併用する場合について図７を用いて説明する。この場合、第３の発光回路２１ｃ及び受光回路２２ｃを併用するのであるが、この第３の発光回路２１ｃ及び受光回路２２ｃを侵入者検知のために使用することができることは当然である。しかし、使用方法によって、来客報知用として使用することもできるのである。即ち、ステップ７１（Ｓ７１）からステップ８３（Ｓ８３）までは、前記のステップ５１（Ｓ５１）からステップ６３（Ｓ６３）と全く同一であり、また、発光制御信号２２から第３の発光回路２１ｃにトリガーパルスを送出する処理（Ｓ８４）と、第３の発光回路２１ｃ及び受光回路２２ｃから異常出力と判断する処理（Ｓ８５）もステップ４（Ｓ４）及びステップ５（Ｓ５）と同じである。そして、この受光回路２２ｃにおいて異常出力と判断されたときは、上記の異常状態のステップ７７（Ｓ７７）の処理に移らず、他の第１及び第２の発光回路２１ａ，２１ｂ及び受光回路２２ａ，２２ｂとは別に、来客ブザーを鳴らすように処理される（Ｓ８６）。このときの来客ブザーは、警報ブザー２７とは異なり、外部出力として鳴るように構成されており、異常状態ではないので、警報ブザー２７とレジスタ電源は連動しない。そして、この外部出力は、ステップ７９（Ｓ７９）において、係員の存在によって解除される。従って、第３の発光回路２１ｃから発射される赤外線は、客が精算又は会計のためにキャッシュレジスタ３に向かって立ち止まることが予想される位置に合わせられ、第３の受光回路２２ｃは、この発光した赤外線を受光できるようにする。そして、係員がいないとき、上記に該当する位置に誰かが立ち止まるとき、前記の警報ブザー２７に代えて報知音をならせ、客がキャッシュレジスタの付近で待っていることを係員に報知し、係員が近くにいるときは、報知の必要がないので報知音は鳴らないようになる。
【００１７】
なお、本発明の趣旨を逸脱しない範囲で種々なる実施の態様を取り得ることは無論である。例えば、上記実施形態においては、反射型光センサによって侵入者を検知しているが、多種のセンサを使用するものであってもよく、ドロアの開放を検知する磁気センサも多種のものでよい。さらに、上記実施形態は、三個の発光回路２１ａ，２１ｂ，２１ｃと、これに対応する三個の受光回路２２ａ，２２ｂ，２２ｃが使用できるように、発光制御回路により異なるタイミングで赤外線を発射させているが、複数のセンサを同時に使用できれば、そのようなセンサへの変更は可能である。
【００１８】
【発明の効果】
以上のように、本発明は、一方的に電波を発信する無線部を備え、係員が携帯する無線発信機と、この無線発信機から発信される電波を受信していないことを条件として警戒状態となる本体部と、この本体部に接続された反射型光センサとからなり、上記反射型光センサは、本体部が警戒状態において赤外線を発光させる発光回路と、この発光回路により発光された赤外線が反射するときこれを受光する受光回路とを備え、本体部は、上記反射型光センサの発光回路に対してトリガーパルスを送出する発光制御回路と、上記反射型光センサの受光回路が受光するときその信号を受ける受光制御回路と、上記受光回路からの信号により警報情報を出力する警報制御手段と、上記受光回路からの信号により電源切断情報を出力する電源制御手段とを備え、上記反射型光センサはキャッシュレジスタのテンキー側に向けて配置してなることを特徴とするキャッシュレジスタにおける盗難防止システムを要旨とするので、係員が無線発信機を携帯していれば、ほんの僅かの間、キャッシュレジスタから離れるとき、所定の範囲から外へ出れば警戒状態となり、反射型光センサによって侵入者を検知でき、係員がキャッシュレジスタから目を離したすきに、ドロアを開放して現金を盗取できなくすることができる。そして、現金の盗取防止のため、警報情報を出力するとともに、電源切断情報を出力するように構成されているので、警報装置によって係員又は警備員などに知らせることができるとともに、キャッシュレジスタの電源を切ることによって、キャッシュレジスタのテンキーを使用不能の状態にすることができ、よってドロアの開放をテンキーの操作で行うことができなくなり、現金の盗取を一層困難にすることができる。
【００１９】
また、本発明は、一方的に電波を発信する無線部を備え、係員が携帯する無線発信機と、この無線発信機から発信される電波を受信していないことを条件として警戒状態となる本体部と、この本体部に接続された反射型光センサと、上記本体部に接続されたドロアセンサとからなり、上記反射型光センサは、本体部が警戒状態において赤外線を発光させる発光回路と、この発光回路により発光された赤外線が反射するときこれを受光する受光回路とを備え、上記ドロアセンサは、キャッシュレジスタのドロア表面およびこれに近接するキャッシュレジスタの本体表面に設けられる一対の磁気センサで構成され、本体部は、上記反射型光センサの発光回路に対してトリガーパルスを送出する発光制御回路と、上記反射型光センサの受光回路が受光するときその信号を受ける受光制御回路と、上記受光回路または磁気センサからの信号により警報情報を出力する警報制御手段と、上記受光回路または磁気センサからの信号により電源切断情報を出力する電源制御手段とを備え、上記反射型光センサはキャッシュレジスタのテンキー側に向けて配置してなることを特徴とするキャッシュレジスタにおける盗難防止システムを要旨とするので、キャッシュレジスターから係員が離れている際、上記と同様に警戒状態にすることができる。そこで、警戒状態において、第一に、キャッシュレジスタに近寄る侵入者を検知すると同時に、第二に、ドロアが開放されないかを検知することができるので、たまたま、何らかの原因で反射型光センサによって侵入者を検知せずにドロアを開放する（この場合にはテンキー操作でも開放できる）ときであっても、警報情報が出力されるので、係員以外の誰かがドロアを開放したことを知ることができる。また、一度ドロアを開放した者が警報音等に驚いて慌ててドロアを閉めたときは、電源切断情報によってキャッシュレジスタの電源は切れているので、テンキーの操作によっては再びドロアを開放することができず、キャッシュレジスタのドロア内に一時保管している現金の盗取を困難にすることができるものである。
【図面の簡単な説明】
【図１】本実施形態の概略を示す斜視説明図である。
【図２】ブロック図である。
【図３】フローチャートである。
【図４】フローチャートである。
【図５】フローチャートである。
【図６】フローチャートである。
【図７】フローチャートである。
【符号の説明】
１  無線発信機
２  本体部
３  キャッシュレジスタ
４  テンキー
５  反射型光センサ
６  ドロア
７，８  磁気センサ
【図１】
0003667864.tif 000002
【図２】
0003667864.tif 000003
【図３】
0003667864.tif 000004
【図４】
0003667864.tif 000005
【図５】
0003667864.tif 000006
【図６】
0003667864.tif 000007
【図７】
0003667864.tif 000008